(57)【特許請求の範囲】
【請求項１】
エネルギ使用量を含むデータを受付ける受付装置と、エネルギ使用量を含むデータを記憶する記憶装置と、エネルギ使用量の評価処理を含む処理を実行する情報処理装置とを用いて、エネルギ使用量の削減度を評価するエネルギ使用量削減評価方法において、
エネルギ使用量及び該エネルギ使用量が計測される計測単位体の属性を受付装置で受付け、記憶装置に記憶するステップと、
受付けたエネルギ使用量及び属性に基づいて、情報処理装置により、属性毎に評価の基準に用いる基準使用量を設定し、記憶部に記憶するステップと
を有し、属性毎に設定した基準使用量に基づいて、属性毎にエネルギ使用量の削減度を評価することを特徴とするエネルギ使用量削減評価方法。
【請求項２】
前記受付装置で受付けたエネルギ使用量及び属性は、評価対象のエネルギ使用量及び属性を含んでおり、
評価対象の属性に対応する基準使用量を、情報処理装置により、前記設定した基準使用量の中から選択するステップと、
評価対象のエネルギ使用量の所定期間の削減量を情報処理装置で算出するステップと、
前記所定期間の最初又は最後のエネルギ使用量と前記選択した基準使用量との差を情報処理装置で算出するステップと、
算出した差に対する算出した削減量の比を情報処理装置で算出するステップとを有し、算出した比に応じてエネルギ使用量の削減度を評価することを特徴とする請求項１記載のエネルギ使用量削減評価方法。
【請求項３】
端末装置からエネルギ使用量を受付け、受付けたエネルギ使用量の削減度を評価する評価装置を備えたエネルギ使用量削減評価システムにおいて、
エネルギ使用量及び該エネルギ使用量が計測される計測単位体の属性を受付ける受付手段と、
受付けたエネルギ使用量及び属性に基づいて、属性毎に評価の基準に用いる基準使用量を設定する設定手段と
を備え、属性毎に設定した基準使用量に基づいて、属性毎にエネルギ使用量の削減度を評価すべくなしてあることを特徴とするエネルギ使用量削減評価システム。
【請求項４】
前記受付手段は、端末装置から評価対象のエネルギ使用量及び該エネルギ使用量が計測される計測単位体の属性を受付けるべくなしてあり、評価対象の属性に対応する基準使用量を、前記設定した基準使用量の中から選択する選択手段と、
選択した基準使用量を、前記端末装置へ送信する送信手段と
を備えることを特徴とする請求項３記載のエネルギ使用量削減評価システム。
【請求項５】
前記受付手段は、端末装置から評価対象のエネルギ使用量及び該エネルギ使用量が計測される計測単位体の属性を受付けるべくなしてあり、評価対象の属性に対応する基準使用量を、前記設定した基準使用量の中から選択する選択手段と、
評価対象のエネルギ使用量の所定期間の削減量を算出する削減量算出手段と、前記所定期間の最初又は最後のエネルギ使用量と前記選択した基準使用量との差を算出する差算出手段と、
算出した差に対する算出した削減量の比を算出する比算出手段と
を備え、算出した比に応じてエネルギ使用量の削減度を評価し、評価結果を前記端末装置へ送信すべくなしてあることを特徴とする請求項３記載のエネルギ使用量削減評価システム。
【請求項６】
エネルギ使用量の削減度を評価するエネルギ使用量削減評価装置において、
エネルギ使用量及び該エネルギ使用量が計測される計測単位体の属性を受付ける受付手段と、
受付けたエネルギ使用量及び属性に基づいて、属性毎に評価の基準に用いる基準使用量を設定する設定手段と
を備え、属性毎に設定した基準使用量に基づいて、属性毎にエネルギ使用量の削減度を評価すべくなしてあることを特徴とするエネルギ使用量削減評価装置。
【請求項７】
前記設定手段は、属性毎にエネルギ使用量を小さい順に並べた場合に、小さい方から所定パーセントの順位数に対応する順位のエネルギ使用量を基準使用量に設定すべくなしてあることを特徴とする請求項６記載のエネルギ使用量削減評価装置。
【請求項８】
前記受付手段は、評価対象のエネルギ使用量及び該エネルギ使用量が計測される計測単位体の属性を受付けるべくなしてあり、
評価対象の属性に対応する基準使用量を、前記設定した基準使用量の中から選択する選択手段と、
評価対象のエネルギ使用量の所定期間の削減量を算出する削減量算出手段と、前記所定期間の最初又は最後のエネルギ使用量と前記選択した基準使用量との差を算出する差算出手段と、
算出した差に対する算出した削減量の比を算出する比算出手段と
を備え、算出した比に応じてエネルギ使用量の削減度を評価すべくなしてあることを特徴とする請求項６又は７記載のエネルギ使用量削減評価装置。
【請求項９】
コンピュータに、エネルギ使用量の削減度を評価させるコンピュータプログラムにおいて、
コンピュータに、評価対象のエネルギ使用量及び該エネルギ使用量が計測される計測単位体の属性を含むエネルギ使用量及び属性を受付けさせる手順と、
コンピュータに、受付けたエネルギ使用量及び属性に基づいて、属性毎に評価の基準に用いる基準使用量を設定させる手順と、
コンピュータに、評価対象の属性に対応する基準使用量を、前記設定した基準使用量の中から選択させる手順と、
コンピュータに、評価対象のエネルギ使用量の所定期間の削減量を算出させる手順と、
コンピュータに、前記所定期間の最初又は最後のエネルギ使用量と前記選択した基準使用量との差を算出させる手順と、
コンピュータに、算出した差に対する算出した削減量の比を算出させる手順とを有することを特徴とするコンピュータプログラム。
【請求項１０】
コンピュータに、エネルギ使用量の削減度を評価させるコンピュータプログラムを記録してある、コンピュータでの読み取りが可能な記録媒体において、
コンピュータに、評価対象のエネルギ使用量及び該エネルギ使用量が計測される計測単位体の属性を含むエネルギ使用量及び属性を受付けさせる手順と、
コンピュータに、受付けたエネルギ使用量及び属性に基づいて、属性毎に評価の基準に用いる基準使用量を設定させる手順と、
コンピュータに、評価対象の属性に対応する基準使用量を、前記設定した基準使用量の中から選択させる手順と、
コンピュータに、評価対象のエネルギ使用量の所定期間の削減量を算出させる手順と、
コンピュータに、前記所定期間の最初又は最後のエネルギ使用量と前記選択した基準使用量との差を算出させる手順と、
コンピュータに、算出した差に対する算出した削減量の比を算出させる手順とを有するコンピュータプログラムを記録してあることを特徴とするコンピュータでの読み取りが可能な記録媒体。
【発明の詳細な説明】
【０００１】
【発明の属する技術分野】
本発明は、エネルギ使用量の削減度を評価するエネルギ使用量削減評価方法、システム及び装置と、コンピュータにエネルギ使用量の削減度を評価させるプログラム及び該プログラムが記録された記録媒体に関する。
【０００２】
【従来の技術】
省エネルギは環境保全及び経済性の両面から重要であり、こまめに消灯する、暖房温度の設定値を低くする等の取組みが行われている。省エネルギへの取組みを支援するものとして、現在のエネルギ使用量を表示する装置が用いられている。この装置は、例えば分電盤に電力測定器を取付け、測定した電力を表示器に表示するように構成されている。
【０００３】
表示器には、例えば１分おきに、測定した電力を累計した累計消費電力を表示することができる。表示されている累計消費電力が増加していくことにより、表示を見た者の節電意識を高めることができる。
【０００４】
さらに、前記装置は、例えば前年度の消費電力に基づいて今年度の消費電力の目標値を設定し、前記電力測定器の測定値が目標値に達した場合に、表示器から音又はメッセージを出力することもできる。目標値を設定することにより、現在の消費電力への関心が増し、節電意識を更に高めることができる。
【０００５】
また、課金伝票等により把握したエネルギ使用量をインターネット上に開設されたウェブサイトへ送信し、前年度の消費電力に基づいて今年度の消費電力の目標値を求めることも行われている。目標値を設定することにより、現在の消費電力への関心が増し、節電意識を更に高めることができる。
【０００６】
【発明が解決しようとする課題】
上述した装置及び方法においては、前年度のエネルギ使用量に基づいて目標値の設定又は省エネルギの取組みを評価している。例えば、図８に示すように、月Ｍ１のエネルギ使用量Ｅ１が、１年後の月Ｍ２にエネルギ使用量Ｅ２に減少した場合、Ａ（＝Ｅ１−Ｅ２）とＢ（＝Ｅ１）との比（Ａ／Ｂ）に基づいて評価を行う。
【０００７】
しかし、自身の過去の実績を基準としているため、目標値又は省エネルギへの取組みの評価基準の設定が困難であり、適切な評価が行われていない可能性が有る。例えば、エネルギ使用量が平均値を大幅に上回っている場合は、大幅な削減も容易に行えると考えられる。逆に、エネルギ使用量が平均値を下回っている場合は、小幅な削減も困難であると考えられる。さらに、１年目は比較的大幅なエネルギ使用量の削減が可能であるが、２年目以降は、徐々に削減が困難になっていくと考えられる。
【０００８】
また、家族構成、家屋構造又は床面積等の属性によっても、エネルギ使用量の削減の困難さが異なると考えられる。このような属性を考慮せずに目標値を設定すること又は省エネルギへの取組みの評価を適切に行うことは困難である。
【０００９】
本発明は斯かる事情に鑑みてなされたものであり、エネルギ使用量及び該エネルギ使用量が計測される計測単位体の属性を受付け、属性毎に評価の基準に用いる基準使用量を設定することにより、各顧客の属性に応じた基準使用量を目標値に設定できるエネルギ使用量削減評価方法、エネルギ使用量削減評価システム及びエネルギ使用量削減評価装置と、コンピュータプログラム及び記録媒体とを提供することを目的とする。
【００１０】
また、本発明は、評価対象のエネルギ使用量及び属性を受付け、受付けた属性の基準使用量に対するエネルギ使用量の削減度を評価することにより、顧客の属性に基づいてエネルギ使用量の削減度を評価できるエネルギ使用量削減評価方法、エネルギ使用量削減評価システム及びエネルギ使用量削減評価装置と、コンピュータプログラム及び記録媒体とを提供することを目的とする。
【００１１】
また、本発明は、端末装置から受付けた属性に対応する基準使用量を前記端末装置へ送信する送信手段により、端末装置へ最も適した基準使用量を提供することができるエネルギ使用量削減評価システムを提供することを目的とする。
【００１２】
また、本発明は、属性毎にエネルギ使用量を小さい順に並べた場合に、小さい方から所定パーセントの順位数に対応する順位のエネルギ使用量を、設定手段で基準使用量に設定することにより、最小又は最小付近の特異なエネルギ使用量を除外できるエネルギ使用量削減評価装置を提供することを目的とする。
【００１３】
【課題を解決するための手段】
第１発明に係るエネルギ使用量削減評価方法は、エネルギ使用量を含むデータを受付ける受付装置と、エネルギ使用量を含むデータを記憶する記憶装置と、エネルギ使用量の評価処理を含む処理を実行する情報処理装置とを用いて、エネルギ使用量の削減度を評価するエネルギ使用量削減評価方法において、エネルギ使用量及び該エネルギ使用量が計測される計測単位体の属性を受付装置で受付け、記憶装置に記憶するステップと、受付けたエネルギ使用量及び属性に基づいて、情報処理装置により、属性毎に評価の基準に用いる基準使用量を設定し、記憶部に記憶するステップとを有し、属性毎に設定した基準使用量に基づいて、属性毎にエネルギ使用量の削減度を評価することを特徴とする。
【００１４】
第２発明に係るエネルギ使用量削減評価方法は、第１発明において、前記受付装置で受付けたエネルギ使用量及び属性は、評価対象のエネルギ使用量及び属性を含んでおり、評価対象の属性に対応する基準使用量を、情報処理装置により、前記設定した基準使用量の中から選択するステップと、評価対象のエネルギ使用量の所定期間の削減量を情報処理装置で算出するステップと、前記所定期間の最初又は最後のエネルギ使用量と前記選択した基準使用量との差を情報処理装置で算出するステップと、算出した差に対する算出した削減量の比を情報処理装置で算出するステップとを有し、算出した比に応じてエネルギ使用量の削減度を評価することを特徴とする。
【００１５】
第３発明に係るエネルギ使用量削減評価システムは、端末装置からエネルギ使用量を受付け、受付けたエネルギ使用量の削減度を評価する評価装置を備えたエネルギ使用量削減評価システムにおいて、エネルギ使用量及び該エネルギ使用量が計測される計測単位体の属性を受付ける受付手段と、受付けたエネルギ使用量及び属性に基づいて、属性毎に評価の基準に用いる基準使用量を設定する設定手段とを備え、属性毎に設定した基準使用量に基づいて、属性毎にエネルギ使用量の削減度を評価すべくなしてあることを特徴とする。
【００１６】
第４発明に係るエネルギ使用量削減評価システムは、第３発明において、前記受付手段は、端末装置から評価対象のエネルギ使用量及び該エネルギ使用量が計測される計測単位体の属性を受付けるべくなしてあり、評価対象の属性に対応する基準使用量を、前記設定した基準使用量の中から選択する選択手段と、選択した基準使用量を、前記端末装置へ送信する送信手段とを備えることを特徴とする。
【００１７】
第５発明に係るエネルギ使用量削減評価システムは、第３発明において、前記受付手段は、端末装置から評価対象のエネルギ使用量及び該エネルギ使用量が計測される計測単位体の属性を受付けるべくなしてあり、評価対象の属性に対応する基準使用量を、前記設定した基準使用量の中から選択する選択手段と、評価対象のエネルギ使用量の所定期間の削減量を算出する削減量算出手段と、前記所定期間の最初又は最後のエネルギ使用量と前記選択した基準使用量との差を算出する差算出手段と、算出した差に対する算出した削減量の比を算出する比算出手段とを備え、算出した比に応じてエネルギ使用量の削減度を評価し、評価結果を前記端末装置へ送信すべくなしてあることを特徴とする。
【００１８】
第６発明に係るエネルギ使用量削減評価装置は、エネルギ使用量の削減度を評価するエネルギ使用量削減評価装置において、エネルギ使用量及び該エネルギ使用量が計測される計測単位体の属性を受付ける受付手段と、受付けたエネルギ使用量及び属性に基づいて、属性毎に評価の基準に用いる基準使用量を設定する設定手段とを備え、属性毎に設定した基準使用量に基づいて、属性毎にエネルギ使用量の削減度を評価すべくなしてあることを特徴とする。
【００１９】
第７発明に係るエネルギ使用量削減評価装置は、第６発明において、前記設定手段は、属性毎にエネルギ使用量を小さい順に並べた場合に、小さい方から所定パーセントの順位数に対応する順位のエネルギ使用量を基準使用量に設定すべくなしてあることを特徴とする。
【００２０】
第８発明に係るエネルギ使用量削減評価装置は、第６又は第７発明において、前記受付手段は、評価対象のエネルギ使用量及び該エネルギ使用量が計測される計測単位体の属性を受付けるべくなしてあり、評価対象の属性に対応する基準使用量を、前記設定した基準使用量の中から選択する選択手段と、評価対象のエネルギ使用量の所定期間の削減量を算出する削減量算出手段と、前記所定期間の最初又は最後のエネルギ使用量と前記選択した基準使用量との差を算出する差算出手段と、算出した差に対する算出した削減量の比を算出する比算出手段とを備え、算出した比に応じてエネルギ使用量の削減度を評価すべくなしてあることを特徴とする。
【００２１】
第９発明に係るコンピュータプログラムは、コンピュータに、エネルギ使用量の削減度を評価させるコンピュータプログラムにおいて、コンピュータに、評価対象のエネルギ使用量及び該エネルギ使用量が計測される計測単位体の属性を含むエネルギ使用量及び属性を受付けさせる手順と、コンピュータに、受付けたエネルギ使用量及び属性に基づいて、属性毎に評価の基準に用いる基準使用量を設定させる手順と、コンピュータに、評価対象の属性に対応する基準使用量を、前記設定した基準使用量の中から選択させる手順と、コンピュータに、評価対象のエネルギ使用量の所定期間の削減量を算出させる手順と、コンピュータに、前記所定期間の最初又は最後のエネルギ使用量と前記選択した基準使用量との差を算出させる手順と、コンピュータに、算出した差に対する算出した削減量の比を算出させる手順とを有することを特徴とする。
【００２２】
第１０発明に係る記録媒体は、コンピュータに、エネルギ使用量の削減度を評価させるコンピュータプログラムを記録してある、コンピュータでの読み取りが可能な記録媒体において、コンピュータに、評価対象のエネルギ使用量及び該エネルギ使用量が計測される計測単位体の属性を含むエネルギ使用量及び属性を受付けさせる手順と、コンピュータに、受付けたエネルギ使用量及び属性に基づいて、属性毎に評価の基準に用いる基準使用量を設定させる手順と、コンピュータに、評価対象の属性に対応する基準使用量を、前記設定した基準使用量の中から選択させる手順と、コンピュータに、評価対象のエネルギ使用量の所定期間の削減量を算出させる手順と、コンピュータに、前記所定期間の最初又は最後のエネルギ使用量と前記選択した基準使用量との差を算出させる手順と、コンピュータに、算出した差に対する算出した削減量の比を算出させる手順とを有するコンピュータプログラムを記録してあることを特徴とする。
【００２３】
第１、３、６、９、１０発明においては、エネルギ使用量及び該エネルギ使用量が計測される計測単位体の属性を受付け、受付けたエネルギ使用量及び属性に基づいて、属性毎に評価の基準に用いる基準使用量を設定しているため、属性に応じて異なる基準使用量が設定される。計測単位体の属性に応じて、前記計測単位体に最も適した基準使用量を設定することができる。基準使用量に対するエネルギ使用量の比を求め、求めた比に応じて評価を行うことができる。比が小さいほど高い評価が与えられる。
【００２４】
第２、５、８、９、１０発明においては、評価対象のエネルギ使用量及び該エネルギ使用量が計測される計測単位体の属性を受付け、受付けた属性に対応する基準使用量を、前記設定した基準使用量の中から選択しているため、評価対象の属性に応じた基準使用量が選択される。そして、受付けたエネルギ使用量の所定期間の削減量の算出、前記所定期間の最初又は最後のエネルギ使用量と選択した基準使用量との差の算出を行い、算出した差に対する算出した削減量の比を算出しているため、評価対象の属性に応じた基準使用量を目標値とし、この目標値を基準とした削減量に基づいて評価が行われる。そのため、同じ削減量であっても、属性が異なれば評価も異なる。
【００２５】
第４発明においては、受付手段により、評価対象のエネルギ使用量が計測される計測単位体の属性を受付け、選択手段により、受付けた属性に対応する基準使用量を前記設定した基準使用量の中から選択し、送信手段により、選択した基準使用量を前記属性の受付けを行った端末装置へ送信しているため、属性に応じた基準使用量を端末装置へ提供することができる。端末装置は、家庭又は事業所等の計測単位体に設けられており、属性に応じた基準使用量を目標値として、エネルギ使用量の削減に取り組むことができる。
【００２６】
第７発明においては、属性毎にエネルギ使用量を小さい順に並べた場合に、小さい方から所定パーセントの順位数に対応する順位のエネルギ使用量を基準使用量に設定しているため、最小又は最小付近のエネルギ使用量を除外することができる。最小のエネルギ使用量は、例えば旅行等で留守の日があった等の特異なエネルギ使用量の可能性があるが、これら最小又は最小付近の特異なエネルギ使用量を除外して基準使用量を設定することができる。
【００２７】
【発明の実施の形態】
以下、本発明をその実施の形態を示す図面に基づいて具体的に説明する。
本発明に係るエネルギ使用量削減評価装置を備えたエネルギ使用量削減評価システムの構成例を図１に示す。図１では、インターネット等の通信ネットワーク２０に管理サーバ（エネルギ使用量削減評価装置）１０と、顧客端末（端末装置）３０とが接続されている。
【００２８】
管理サーバ１０は、通信ネットワーク２０との通信制御を行う通信手段１５と、マウス及びキーボード等の入力手段１６と、モニタ及びプリンタ等の出力手段１７と、ＤＲＡＭ等のＲＡＭ（Random Access Memory）１４と、ハードディスク１３と、フレキシブルディスクドライブ又はＣＤ−ＲＯＭドライブ等の外部記憶手段１２と、ＣＰＵ（Central Processing Unit）１１とを備える。
【００２９】
ＣＰＵ１１は、管理サーバ１０の上述した各部１２〜１７の制御を行う。また、ＣＰＵ１１は、入力手段１６又は通信手段１５から受取ったプログラム又はデータ、外部記憶手段１２又はハードディスク１３から読み出したプログラム又はデータ等を一旦ＲＡＭ１４に記憶し、ＲＡＭ１４に記憶したプログラムの実行又はデータの演算等の各種処理を行い、各種処理結果又は各種処理に用いる一時的なデータをＲＡＭ１４に記憶する。ＲＡＭ１４に記憶した演算結果等のデータは、ＣＰＵ１１により、ハードディスク１３に記憶されたり、出力手段１７又は通信手段１５から出力される。
【００３０】
通信手段１５は、エネルギ使用量及び該エネルギ使用量が計測される顧客（計測単位体）の属性を受付ける手段として動作する。受付けたエネルギ使用量及び属性は、ＣＰＵ１１により、ハードディスク１３に記憶される。ＣＰＵ１１は、受付けたエネルギ使用量及び属性に基づいて、属性毎に評価の基準に用いる基準使用量を設定する手段（設定手段）として動作する。
【００３１】
ＣＰＵ１１は、例えば、属性毎に最小のエネルギ使用量を求め、求めた最小のエネルギ使用量を基準使用量に設定する。または、エネルギ使用量を小さい順に並べた場合に、小さい方から例えば５％の順位数に対応する順位のエネルギ使用量を基準使用量に設定する。ここで、小さい方から５％の順位数とは、属性に含まれる顧客を使用量の小さい順番に並べた場合、全顧客人数の５％に相当する順位数を意味する。例えば、属性に含まれる顧客が２００人の場合、１０番目に小さい使用量が、基準量に設定される。設定した基準使用量は、ＣＰＵ１１により、ハードディスク１３に記憶される。
【００３２】
通信手段１５は、顧客端末３０から、評価対象のエネルギ使用量及び該エネルギ使用量が計測される顧客（計測単位体）の属性を受付ける手段として動作する。受付けた属性は、ＣＰＵ１１により、ＲＡＭ１４又びハードディスク１３に記憶される。ＣＰＵ１１は、受付けた属性に対応する基準使用量を、前記設定した基準使用量の中から選択する手段（選択手段）として動作し、ハードディスク１３から前記選択した基準使用量をＲＡＭ１４に読み出す。
【００３３】
また、通信手段１５は、前記選択した基準使用量を、属性の受付けを行った顧客端末３０へ送信する手段（送信手段）として動作する。ＲＡＭ１４に読み出された基準使用量は、ＣＰＵ１１により、通信手段１５から顧客端末３０へ送信される。顧客端末３０へ送信された基準使用量は、エネルギ使用量の目標値として使用される。
【００３４】
ＣＰＵ１１は、受付けたエネルギ使用量の所定期間の削減量を算出する手段（削減量算出手段）、所定期間の最初又は最後のエネルギ使用量と選択した基準使用量との差を算出する手段（差算出手段）、算出した差に対する算出した削減量の比を算出する手段（比算出手段）として動作する。ＣＰＵ１１は、ＲＡＭ１４に記憶された評価対象のエネルギ使用量の中から、例えば今年度と前年度のエネルギ使用量を読み出して、削減量を算出し、ＲＡＭ１４に記憶する。ここで、削減量が負になった場合は、エネルギ使用量が前年度に対して増加していることを表す。また、ＣＰＵ１１は、ハードディスク１３からＲＡＭ１４へ前年度の基準使用量を読み出し、読み出した前年度のエネルギ使用量と基準使用量との差を求め、ＲＡＭ１４に記憶する。ＣＰＵ１１は、ＲＡＭ１４に記憶された差に対する削減量の比を算出し、ＲＡＭ１４に記憶する。
【００３５】
ＣＰＵ１１は、求めた比に応じてエネルギ使用量の削減度を評価し、評価結果を、通信手段１５から顧客端末３０へ送信する。比が大きいほど高い評価が与えられる。
【００３６】
ＣＤ−ＲＯＭ等の記録媒体に記録されたコンピュータプログラムを外部記憶手段１２で読み出してハードディスク１３に記憶してＣＰＵ１１に実行させることにより、ＣＰＵ１１を上述した各手段として動作させることができる。通信手段１５を用いて、通信ネットワーク２０に接続された他の装置からコンピュータプログラムを受付けてハードディスク１３に記憶することもできる。
【００３７】
また、顧客端末３０は、通信ネットワーク２０との通信制御を行う通信部３８、ボタン型スイッチ等の入力部３２と、表示パネル等の出力部３４と、ＲＯＭ，ＲＡＭ，フラッシュメモリ等の記憶部３６と、演算及び上述した各部３２，３４，３６，３８の制御を行う制御部４０とを備える。
【００３８】
制御部４０は、入力部３２又は通信部３８から受取ったデータ等を記憶部３６に記憶し、記憶部３６に記憶されたプログラムの実行又はデータの演算等の各種処理を行い、各種処理結果を記憶部３６に記憶する。記憶部３６に記憶された演算結果等のデータは、制御部４０により、出力部３４又は通信部３８から出力される。
【００３９】
記憶部３６には、エネルギ使用量が計測される計測単位体である顧客の属性が記憶される。属性は、入力部３２から入力される。属性には、独身，夫婦，高齢夫婦，夫婦と子供，高齢者同居等の家族構成及び家族人数等の住居人に関する情報と、木造又は鉄筋，一戸建て又は集合住宅，床面積等の家屋構造に関する情報と、住所等の地域に関する情報とが含まれる。
【００４０】
顧客端末３０として、従来と同様の装置の他に、コンピュータを用いることもできる。例えば、図１に示したＣＰＵ１１、外部記憶手段１２、ハードディスク１３、ＲＡＭ１４、通信手段１５、入力手段１６、出力手段１７等を備えるコンピュータを用いる場合、ＣＤ−ＲＯＭ等の記録媒体に記録されたコンピュータプログラムを、外部記憶手段１２からハードディスク１３に記憶し、ＣＰＵ１１に実行させることができる。
【００４１】
この場合、制御部４０、入力部３２、出力部３４、記憶部３６、通信部３８は、夫々ＣＰＵ１１、入力手段１６、出力手段１７、ＲＡＭ１４及びハードディスク１３、通信手段１５にほぼ対応する。
【００４２】
エネルギ使用量は、計測器によって計測されている場合があり、例えば図２（ａ）に示すように、エネルギ使用量を計測し、計測したエネルギ使用量及び属性を管理サーバ１０へ送信する計測器２６が顧客宅に設けられている場合は、計測器２６によって計測されたエネルギ使用量及び属性が管理サーバ１０へ送信される。一般的には、１ヵ月間で累計したエネルギ使用量が送信される。
【００４３】
また、エネルギ使用量は、検針員によって計測されている場合があり、例えば図２（ｂ）に示すように、検針員等がエネルギ使用量を入力し、入力したエネルギ使用量及び属性を管理サーバ１０へ送信する携帯端末２８を用いる場合は、携帯端末２８に入力されたエネルギ使用量及び属性が管理サーバ１０へ送信される。一般的には、１ヵ月間で累計したエネルギ使用量が送信される。
【００４４】
属性には、顧客の識別番号が含まれ、例えば属性のうち、顧客の識別番号だけを顧客端末３０、携帯端末２８又は計測器２６に記憶し、他を管理サーバ１０のハードディスク１３に記憶することもできる。属性に応じて顧客を分類することができる。
【００４５】
図２（ａ）及び（ｂ）に示した計測器２６及び携帯端末２８から各属性のエネルギ使用量が管理サーバ１０へ送られ、管理サーバ１０は各属性のエネルギ使用量を受付ける。具体的には、計測器２６又は携帯端末２８から送られたエネルギ使用量及び属性を通信手段１５で受信し、ハードディスク１３に記憶する。
【００４６】
図２（ａ）又は（ｂ）に示した計測器２６又は携帯端末２８によってエネルギ使用量が管理サーバ１０に送られている場合は、診断に用いるエネルギ使用量の入力は不要であり、例えば、ＣＰＵ１１により、受付けた属性に含まれる識別番号に対応するエネルギ使用量をハードディスク１３から読み出して診断を行うことができる。管理サーバ１０にエネルギ使用量が記憶されていない場合は、顧客端末３０の入力部３２からエネルギ使用量を入力及び送信する。
【００４７】
次に、本発明に係るエネルギ使用量削減評価システムを用いたエネルギ使用量の削減度の評価について説明する。
【００４８】
基準使用量（以下、基準量という）の設定手順の一例を図３に示す。顧客端末３０の入力部３２、携帯端末２８又は計測器２６により、エネルギ使用量（以下、使用量という）を入力又は計測する（Ｓ１０）。顧客端末３０の制御部４０、携帯端末２８又は計測器２６は、入力した又は計測した使用量と、予め記憶されている属性とを、管理サーバ１０へ送信する（Ｓ１２）。属性は、顧客端末３０の記憶部３６、携帯端末２８又は計測器２６のメモリ（図示せず）に予め記憶されている。
【００４９】
管理サーバ１０の通信手段１５は、送信された使用量及び属性を受信する（Ｓ１４）。受信した使用量は、ＣＰＵ１１によりハードディスク１３に記憶される（Ｓ１６）。属性には、例えば顧客毎の識別番号が含まれており、使用量は顧客毎に記憶される。図１及び図２（ａ）、（ｂ）には図示されていない多数の顧客から送られてきた使用量も、同様にしてハードディスク１３に記憶される。
【００５０】
ＣＰＵ１１は、属性毎に基準量（基準使用量）を設定する（Ｓ１８）。例えば、使用量を属性により分類し、各属性毎に、最小の使用量を求め、最小の使用量を基準量に設定することができる。後述するように、基準量を、エネルギ使用量の削減の目標値に用いることができる。この場合、実際に実現された最小の消費量が目標値となる。
【００５１】
または、最小値に近い使用量を基準量に設定することができる。例えば、小さい方から５％の順位数の使用量を基準量に設定することができる。最小の使用量は、例えば旅行等で留守にしている日があった等の特異な値の可能性があるため、小さい方から５％の順位数の使用量を選択することにより、特異な値を除外することができる。
【００５２】
設定した基準量（基準使用量）は、ＣＰＵ１１により、ハードディスク１３に記憶される（Ｓ２０）。基準量の設定は、例えば使用量の計測に合わせて、月単位で設定することができる。基準量は、使用量と同様に、月別にハードディスク１３に記憶される。
【００５３】
基準量は、使用量の削減の目標値にすることができる。目標値の表示手順の一例を図４に示す。顧客端末３０の入力部３２を操作して、記憶部３６に予め記憶されている属性及び目標値の送信要求を、管理サーバ１０へ送信する（Ｓ４２）。
【００５４】
管理サーバ１０は、通信手段１５によって、属性及び目標値の送信要求を受信（Ｓ４４）する。ＣＰＵ１１は、目標値の送信要求の受信を検出し、受信した属性に対応する基準量（基準使用量）をハードディスク１３から読み出し（Ｓ４６）、通信手段１５から送信する（Ｓ４８）。
【００５５】
送信された基準量は、顧客端末３０の通信部３８で受信（Ｓ５０）される。受信した基準量は、制御部４０により、出力部３４に送られて表示される（Ｓ５２）。顧客は、顧客端末３０の出力部３４に表示された基準量を目標値にして省エネルギに取り組む。
【００５６】
次に、使用量の削減度の評価手順の一例を図５に示す。本説明では、使用量が管理サーバ１０に記憶されていない場合を例にして説明する。評価希望者は、顧客端末３０の入力部３２を操作して、使用量を入力する（Ｓ６０）。制御部４０は使用量の入力後、記憶部３６に記憶されている使用量及び属性を、管理サーバ１０へ送信する（Ｓ６２）。
【００５７】
送信した使用量及び属性は、管理サーバ１０の通信手段１５で受信（Ｓ６４）される。ＣＰＵ１１により、受信した使用量及び属性はＲＡＭ１４に記憶され、受信した属性に対応する基準量（基準使用量）がハードディスク１３からＲＡＭ１４へ読み出される（Ｓ６６）。ＣＰＵ１１は、受信した使用量と読み出した基準量に基づいて評価を行う（Ｓ６８）。評価においては、受信した使用量の前年度に対する削減量と、前年度の使用量と読み出した基準量との差とを比較する。
【００５８】
削減量と差との比較の一例を図６に示す。図６において、Ｍ１及びＭ２は前年度及び今年度の同一月であり、Ｅ１は前年度の使用量、Ｅ２は今年度の使用量、Ｅ３は前年度の使用量に基づいて設定された基準量である。また、Ａ（＝Ｅ１−Ｅ２）は、前年度に対する使用量の削減量であり、Ｃ＝（Ｅ１−Ｅ３）は、前年度の使用量と基準量との差である。
【００５９】
ＣＰＵ１１は、Ａ，Ｃ，Ａ÷Ｃを求め、求めた比に基づいて評価を行う。比が大きいほど、高評価となる。例えば比が、負数（使用量が増加した場合）と、０〜０．２０と、０．２１〜０．４０と、０．４１〜０．６０と、０．６１〜０．８０と、０．８１〜１．００と、１．０１以上との７段階で評価を行うことができる。評価結果は、管理サーバ１０から顧客端末３０へ送信される（Ｓ７０）。
【００６０】
送信した評価結果は、顧客端末３０の通信部３８で受信（Ｓ７２）され、制御部４０により出力部３４へ送られ、評価結果が表示される（Ｓ７４）。顧客は、省エネルギの取り組みへの評価を受けることにより、今後の省エネルギの取り組みへの意欲を向上させることができる。例えば、算出した比に応じてランキングを行うこともできる。比は、属性に応じた基準量に基づいて算出されるため、ランキングは属性毎又は全属性に行うことができる。
【００６１】
上述した実施の形態では、基準量を小さい方から５％の順位数の使用量に設定したが、基準量は５％に限定はされず例えば１０％等に設定すること等ができる。または、同じ属性に分類される顧客の使用量の平均値を基準量に設定することもできる。
【００６２】
例えば使用量の平均値を第１基準量に設定し、小さい方から５％の順位数の使用量を第２基準量に設定し、評価対象の使用量が第１基準量よりも大きい場合は第１基準量を目標値に設定し、第１基準量よりも小さい場合は第２基準量を目標値に設定することができる。使用量が平均値を大幅に超えている場合は、最小に近い（小さい方から５％の順位数の）基準量との差も大きく、現実味の無い目標になってしまい、省エネルギへ取り組む意欲が無くなる可能性がある。しかし、平均値に近い基準量を設定した場合は、現実味のある目標となり、省エネルギへの取り組み意欲を高めることができる。
【００６３】
また、図６においては、期間の開始（Ｍ１）の基準量Ｅ３を用いて比（Ａ／Ｃ）を算出したが、図７に示すように、期間の最後（Ｍ２）の基準量Ｅ４を用いて比（Ａ／Ｄ）を算出することもできる。基準量は、同一月であっても年毎に変動しており、図７においては、現在の基準量を用いて評価を行うことができる。
【００６４】
また、例えば計測器２６から電気の使用量を送信し、顧客端末３０から水道及びガスの使用量を送信することも可能である。この場合は、電気，ガス，水道別に評価を行う、又は電気，ガス，水道を一つにまとめて評価することができる。
【００６５】
また、図１においては、使用量及び属性の受付と、基準量の設定と、削減度の評価とを、１つの装置（管理サーバ１０）で行ったが、例えば使用量及び属性の受付と基準量の設定とを別の装置で行い、属性に応じた基準量を前記別の装置から取得することもできる。または、管理サーバ１０から属性に応じた基準量を受取って、削減の評価を顧客端末３０で行うこともできる。この場合、顧客端末３０から管理サーバ１０へは、属性だけが送られる。
【００６６】
【発明の効果】
第１、３、６、９、１０発明によれば、受付けたエネルギ使用量及び属性に基づいて、属性毎に評価の基準に用いる基準使用量を設定することにより、前記計測単位体に最も適した基準使用量を設定することができる。最適な基準使用量を目標にしてエネルギ使用量の削減に取り組むことができる。
【００６７】
第２、５、８、９、１０発明によれば、受付けたエネルギ使用量の所定期間の削減量の算出と、前記所定期間の開始又は終了時のエネルギ使用量と基準使用量との差の算出とを行い、算出した差に対する算出した削減量の比を算出することにより、属性に応じた基準使用量を基準にして、エネルギ使用量の削減度を評価することができる。
【００６８】
第４発明によれば、端末装置から受付けた属性に対応する基準使用量を送信することにより、端末装置へ最も適した基準使用量を提供することができる。端末装置の利用者は、送信された最適な基準使用量を目標にして、エネルギ使用量の削減に取り組むことができる。
【００６９】
第７発明によれば、属性毎にエネルギ使用量を小さい順に並べた場合に、小さい方から所定パーセントの順位数に対応する順位のエネルギ使用量を基準使用量に設定することにより、最小又は最小付近の特異なエネルギ使用量を除外して基準使用量を設定することができる。
【図面の簡単な説明】
【図１】本発明に係るエネルギ使用量削減評価システムの構成例を示すブロック図である。
【図２】図１に示す顧客端末の他の構成例を示すブロック図である。
【図３】基準使用量の設定手順の一例を示すフローチャートである。
【図４】目標値の表示手順の一例を示すフローチャートである。
【図５】エネルギ使用量の削減度の評価手順の一例を示すフローチャートである。
【図６】使用量の前年度に対する削減量と、前年度の使用量と読み出した基準量との差との比較の一例を示す図である。
【図７】使用量の前年度に対する削減量と、前年度の使用量と読み出した基準量との差との比較の一例を示す図である。
【図８】従来のエネルギ使用量の削減度の評価方法を示す図である。
【符号の説明】
１０  管理サーバ（エネルギ使用量削減評価装置）
１１  ＣＰＵ（設定手段、選択手段、削減量算出手段、差算出手段、比算出手段）
１５  通信手段（受付手段、送信手段）
３０  顧客端末（端末装置）
【図１】
0003856705.tif 000002
【図２】
0003856705.tif 000003
【図３】
0003856705.tif 000004
【図４】
0003856705.tif 000005
【図５】
0003856705.tif 000006
【図６】
0003856705.tif 000007
【図７】
0003856705.tif 000008
【図８】
0003856705.tif 000009